(57)【特許請求の範囲】
【請求項１】
原稿の画像を読み取る原稿読取部と、
読み取った画像を記録紙に形成する画像形成部と、
前記原稿読取部と前記画像形成部を内部に収容している筐体と、
前記筐体の上方に配置され、前記原稿読取部に原稿を供給する原稿供給部が設けられた開閉カバーと、
前記開閉カバーを前記筐体に対して回転可能に連結するヒンジと、を備える画像形成装置であって、
前記筐体と前記開閉カバーの外部に配置され、前記原稿供給部と前記筐体とを導通するように両端がそれぞれ固定される帯状の導電性シートと、
前記導電性シートの表面に接合されている帯状の可撓性部材と、を備えることを特徴とする画像形成装置。
【請求項２】
前記導電性シートは、前記原稿供給部の内部にある電子回路基板と前記筐体とを導通することを特徴とする請求項１に記載の画像形成装置。
【請求項３】
前記導電性シートは、前記原稿供給部と前記筐体の金属部分とを導通することを特徴とする請求項１又は２に記載の画像形成装置。
【請求項４】
前記ヒンジは複数設けられており、前記導電性シートと前記可撓性部材とが接合された帯状部材は、前記複数のヒンジの間に配置されることを特徴とする請求項１〜３のいずれか１項に記載の画像形成装置。
【請求項５】
前記導電性シートは、両面に前記可撓性部材が接合されていることを特徴とする請求項１〜４のいずれか１項に記載の画像形成装置。
【発明の詳細な説明】
【技術分野】
【０００１】
本発明は、画像読取部と画像形成部を内部に収容している筐体と、筐体の上方に配置され、原稿読取部に原稿を供給する原稿供給部が設けられた開閉カバーと、開閉カバーを筐体に対して回転可能に連結するヒンジと、を備える画像形成装置に関する。
【背景技術】
【０００２】
複写機などの画像形成装置には、原稿の画像を読み取るための原稿読取装置が備えられている。この種の原稿読取装置は、原稿に向けて光を照射する光源、及び、原稿からの反射光を受光する受光部などからなる原稿読取部が、筐体内に収容されることにより構成されている。
【０００３】
上記筐体の上面には、例えばガラス板が形成されており、当該ガラス板上に置かれた原稿に対して、筐体内の光源から光が照射され、原稿からの反射光が受光部により受光される。また、上記筐体には、ガラス板に対向する閉状態と、ガラス板に対向しない開状態との間で開閉可能な開閉カバーが取り付けられている。当該開閉カバーには、両端部にヒンジが固定され、それらの２つのヒンジが筐体に取り付けられることにより、当該ヒンジを中心に開閉カバーが回転可能となる。
【０００４】
上記開閉カバーには、原稿読取部に原稿を供給するための原稿供給装置（ＡＤＦ）が設けられる。原稿供給装置は、原稿を搬送するための各種のローラ、及びこれらのローラを回転させるためのモータ及びギアなどの構成部品で構成されている。そのため、原稿読取部に原稿を供給する際、構成部品及び原稿が互いに擦れ、原稿供給装置では静電気が発生しやすくなっている。静電気は、装置に悪影響を与え、例えば、読み込んだ画像が歪む、或いは装置が停止するといった不具合の原因となる。
【０００５】
したがって、このような静電気に対する対策として、原稿供給装置が適切に接地されることが求められる。従来、原稿供給装置を筐体にワイヤで接続して接地されていたが、細いワイヤでは効果が不十分であった。また、下記特許文献１には、ラベルプリンタにおいて、電子回路基板を導電性粘着テープと金属製蝶板などを介して金属製の筐体本体に接地する発明が開示されている。
【先行技術文献】
【特許文献】
【０００６】
【特許文献１】特開２００１−４８４０３号公報
【発明の概要】
【発明が解決しようとする課題】
【０００７】
しかし、特許文献１の接地構造では、蝶板が樹脂製の場合などには、導電性粘着テープで筐体本体に直接接地するしかなく、原稿供給装置を含む開閉カバーの開閉動作に支障を来す、或いは開閉動作の際の繰り返し応力に対する耐久性が問題となる可能性がある。
【０００８】
本発明は、上記実情に鑑みてなされたものであり、原稿供給部を筐体に適切に接地することができるとともに、十分な耐久性を持つ接地構造を備える画像形成装置を提供することを目的とする。
【課題を解決するための手段】
【０００９】
上記課題を解決するため本発明に係る画像形成装置は、
原稿の画像を読み取る原稿読取部と、
読み取った画像を記録紙に形成する画像形成部と、
前記画像読取部と前記画像形成部を内部に収容している筐体と、
前記筐体の上方に配置され、前記原稿読取部に原稿を供給する原稿供給部が設けられた開閉カバーと、
前記開閉カバーを前記筐体に対して回転可能に連結するヒンジと、を備える画像形成装置であって、
前記筐体と前記開閉カバーの外部に配置され、前記原稿供給部と前記筐体とを導通するように両端がそれぞれ固定される帯状の導電性シートと、
前記導電性シートの表面に接合されている帯状の可撓性部材と、を備えることを特徴とする。
【００１０】
本発明の画像形成装置は、原稿供給部を筐体に対して接地する際、従来のワイヤに比べて幅広の帯状の導電性シートにより行う。そのため、筐体への接触面積を広くすることができ、原稿供給部を筐体に適切に接地することができる。通常、筐体は接地されているので、原稿供給部で発生した静電気は、導電性シート、筐体を介して大地へ逃げていくことになる。また、開閉カバーの繰り返しの開閉動作によって、導電性シートは繰り返し応力を受けるが、表面に可撓性部材が接合されているため、断線のおそれも少なく、十分な耐久性が得られる。
【００１１】
本発明の画像形成装置において、前記導電性シートは、前記原稿供給部の内部にある電子回路基板と前記筐体とを導通することが好ましい。
【００１２】
電子回路基板は、静電気の影響を受けやすいので、電子回路基板と筐体を導電性シートにより導通させ、電子回路基板を筐体に確実に接地することが好ましい。
【００１３】
本発明の画像形成装置において、前記導電性シートは、前記原稿供給部と前記筐体の金属部分とを導通することが好ましい。
【００１４】
導電性シートにより原稿供給部と筐体の金属部分とを導通させることで、原稿供給部を筐体に適切に接地することができる。
【００１５】
本発明の画像形成装置において、前記ヒンジは複数設けられており、前記導電性シートと前記可撓性部材とが接合された帯状部材は、前記複数のヒンジの間に配置されることが好ましい。
【００１６】
原稿供給部を使用しない場合、画像読取部の上方、すなわち筐体の上面に原稿を置いて読み取らせる場合には、開閉カバーを開いた状態で筐体の上面に原稿を置いた後、開閉カバーを閉じて原稿を読み取らせる。このとき、開閉カバーを開いた状態では、原稿が筐体の上面を滑って、複数設けられたヒンジとヒンジの間から落下することがある。また、開閉カバーを開く際、開閉カバー側に密着してきた原稿がヒンジとヒンジの間から落下することもある。本発明によれば、導電性シートと可撓性部材とが接合された帯状部材がヒンジとヒンジの間に配置されているため、ヒンジとヒンジの間からの原稿の落下を効果的に防止することができる。
【００１７】
本発明の画像形成装置において、前記導電性シートは、両面に前記可撓性部材が接合されていることが好ましい。
【００１８】
導電性シートの両面に可撓性部材が接合されているため、十分な耐久性が得られる。また、可撓性部材の形状及び色を画像形成装置全体のデザインに合わせられるため外観上も好ましい。
【００１９】
本発明の画像形成装置において、前記導電性シートは、前記電子回路基板の近傍に配置されることが好ましい。
【００２０】
帯状の導電性シートを電子回路基板の近くに配置することにより、装置内で発生する電磁波、または外部からの電磁波によるノイズ対策にも効果的である
【図面の簡単な説明】
【００２１】
【図１】本発明の一実施形態に係る画像形成装置の外観構成を示す斜視図である。
【図２】本発明の一実施形態に係る画像形成装置の内部構成を示す概略断面図である。
【図３】図１の画像形成装置の部分拡大図である。
【図４】開閉カバーの内部構成を示す断面図である。
【図５】帯状部材の詳細な構成を示す断面図である。
【発明を実施するための形態】
【００２２】
図１は、本発明の一実施形態に係る画像形成装置の外観構成を示す斜視図である。図２は、本発明の一実施形態に係る画像形成装置の内部構成を示す概略断面図である。なお、図２の断面図は、図１のＸ方向から見たものである。
【００２３】
本実施形態の画像形成装置１は、大きく分けて、筐体１ａと、筐体１ａの上方に配置される開閉カバー１１と、開閉カバー１１を筐体１ａに対して回転可能に連結するヒンジ１１ａとにより構成されている。筐体１ａは、後述する画像読取部３と画像形成部４を内部に収容している。開閉カバー１１には、後述するＡＤＦ２（原稿供給部に相当）が設けられている。
【００２４】
筐体１ａは、外形が略直方体形状をしており、樹脂製の成形品、及び金属製の板金部品などで構成されている。
【００２５】
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離手段（分離ローラとリタードローラの対）２ｃにより、原稿トレイ２ａ上に置かれた原稿を１枚ずつ送り出す。送り出された原稿は、複数の搬送ローラ２ｄ、２ｅ、２ｆにより搬送路２ｇを搬送され、当該搬送路２ｇの途中に位置する読取ポイントＡにおいて、静止したスキャナ３ａにより画像が読み取られる。また、ＡＤＦ２の内部には、上記の各種ローラを回転させるための不図示のモータ及びギアのほか、電子回路基板２０が設けられている（図４を参照）。図２に示した画像形成装置１に設けられているＡＤＦ２は、原稿の片面の画像のみを読み取ることができる片面読取タイプであり、片面の画像が読み取られた後の原稿は、排出ローラ２ｈにより原稿排出トレイ２ｉ上に順次排出される。なお、ＡＤＦ２は、図２のような片面読取タイプのほか、原稿の表裏を反転させて、原稿の両面を読み取らせることができる両面読取機構を備えた両面読取タイプであってもよい。このような両面読取タイプのＡＤＦ２の構成は公知であるため、その詳細な説明は省略する。
【００２６】
原稿読取部３には、いわゆるＣＣＤ方式が採用され、複数のＣＣＤ(Charge Coupled Devices)が、原稿の搬送方向に対して直交する水平方向（図２における紙面の前後方向）である主走査方向に並べて配置されている。原稿読取部３には、ＡＤＦ２により搬送される原稿をスキャナ３ａが静止した状態で読み取る静止読取領域３ｂと、ガラス板３ｄ上に置かれた原稿をスキャナ３ａが移動しながら読み取る移動読取領域３ｃとが備えられている。
【００２７】
図２では、スキャナ３ａが読取ポイントＡの直下の静止読取領域３ｂに静止し、ＡＤＦ２により１枚ずつ搬送される原稿の画像を読み取る状態が示されている。この静止読取領域３ｂで原稿を読み取る場合には、各ＣＣＤで原稿からの反射光を受光することにより主走査が行われるとともに、読取ポイントＡを原稿が搬送されることにより副走査が行われる。一方、移動読取領域３ｃで原稿を読み取る場合には、各ＣＣＤで原稿からの反射光を受光することにより主走査が行われるとともに、スキャナ３ａが主走査方向に直交する水平方向（副走査方向）に移動することにより副走査が行われる。
【００２８】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、スキャナ３ａで読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２９】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００３０】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ８に対して押圧される。この状態で給紙ローラ８が回転駆動されることにより、記録紙カセット６内に収容されている記録紙Ｐが、搬送路１２に１枚ずつ送り出される。
【００３１】
搬送路１２には、１つ又は複数の搬送ローラ１３が設けられている。記録紙カセット６から１枚ずつ送り出される記録紙Ｐは、搬送ローラ１３により搬送路１２内を搬送され、画像形成部４へと送られる。そして、記録紙Ｐは感光体ドラム４ａの直前で一旦停止され、感光体ドラム４ａに形成されるトナー像を転写させるタイミングに合わせてレジストローラ１４により送り出される。
【００３２】
上記のような原稿読取部３、画像形成部４及び給紙部５は、筐体１ａ内に配置されており、当該筐体１ａの上面に上記ガラス板３ｄが形成されている。筐体１ａの上面には、閉状態でガラス板３ｄ全体を覆う開閉カバー１１が、上下方向に開閉可能に取り付けられている。開閉カバー１１と筐体１ａは、２つのヒンジ１１ａで連結されている。本実施形態では、ヒンジ１１ａが２つ設けられている例を示すが、これに限定されるものではない。また、本実施形態のヒンジ１１ａは、樹脂製となっている。ヒンジ１１ａの一端部は、筐体１ａの上面における前後方向（主走査方向）の後端部に取り付けられ、ヒンジ１１ａの他端部は、開閉カバー１１の下面に取り付けられている。開閉カバー１１の上面には上記原稿排出トレイ２ｉが形成されており、当該原稿排出トレイ２ｉの上方に原稿トレイ２ａが設けられている。ＡＤＦ２は、開閉カバー１１における左右方向（副走査方向）の一端部に設けられている。
【００３３】
ＡＤＦ２を使用する場合には、開閉カバー１１が図１及び２に示すような閉状態とされ、この状態で原稿トレイ２ａ上に置かれた原稿が１枚ずつ原稿読取部３に供給される。一方、ＡＤＦ２を使用しない場合には、開閉カバー１１を開いた状態でガラス板３ｄ上に原稿を置いた後、開閉カバー１１を閉じることにより、原稿が開閉カバー１１とガラス板３ｄとの間に挟まれた状態で読み取られる。
【００３４】
図３は、図１の画像形成装置１の部分拡大図である。図４は、開閉カバー１１の内部構成を示す断面図であり、図１のＹ方向から見た図である。図５は、帯状部材７の詳細な構成を示す断面図である。
【００３５】
帯状部材７は、筐体１ａの外側面に配置され、一端部７ａは筐体１ａに接続され、他端部７ｂは開閉カバー１１のＡＤＦ２に接続されている。また、帯状部材７は、図１に示すように、２つのヒンジ１１ａの間に配置されている。
【００３６】
帯状部材７は、図５に示すように、帯状の導電性シート７１の両面に、帯状の可撓性部材７２、７３がそれぞれ接合されて構成されている。導電性シート７１の外側（筐体１ａの反対側）に配置される可撓性部材７２は、導電性シート７１の表面全体を覆っている。一方、導電性シート７１の内側（筐体１ａ側）に配置される可撓性部材７３は、両端７１ａ，７１ｂが露出するように導電性シート７１の表面を覆っている。なお、導電性シート７１の内側の可撓性部材７３は、必ずしも設ける必要はないが、帯状部材７の強度、外観の観点からは設けることが好ましい。また、帯状部材７の両端７ａ，７ｂには、帯状部材７をネジで固定するための孔がそれぞれ設けられている。
【００３７】
導電性シート７１は、ＡＤＦ２の内部にある電子回路基板２０と、筐体１ａの金属部分とを導通するように構成される。本実施形態では、導電性シート７１の一端部７１ａは、筐体１ａの板金筐体１ｂに接触するように、ネジ７４で可撓性部材７２とともに固定されている。板金筐体１ｂの材料としては、電気亜鉛めっき鋼板（ＳＥＣＣ）などが例示される。筐体１ａの金属部分は、図示した板金筐体１ｂに限定されず、その他の金属部分でも構わない。
【００３８】
導電性シート７１の他端部７１ｂは、ＡＤＦ２の内部に配置された内部板金２１と接触するように、ネジ７５で可撓性部材７２とともに固定されている。この内部板金２１は、ＡＤＦ２の筐体である樹脂カバー２２に固定されている。
【００３９】
電子回路基板２０は、内部板金２１にネジ２３で固定されている。その結果、電子回路基板２０はネジ２３を介して内部板金２１に接地し、内部板金２１は導電性シート７１を介して筐体１ａの板金筐体１ｂに接地し、その結果、電子回路基板２０は、筐体１ａの板金筐体１ｂに接地している。板金筐体１ｂは、当然接地されている。
【００４０】
導電性シート７１としては、銅箔シートが例示される。このような銅箔シートは市販されており、厚み０．０３〜０．１０ｍｍのものが好ましい。可撓性部材７２，７３は可撓性を有する材料で構成され、例えばポリフェニレンサルファイド樹脂（ＰＰＳ）などで構成される。帯状部材７は、幅１５〜２０ｍｍ、厚み０．５〜１．０ｍｍ程度のものが例示され、本実施形態では、幅１８ｍｍ、厚み０．７ｍｍとしている。帯状部材７の繰り返し応力に対する耐久性は、１０万回以上とするのが好ましい。
【００４１】
＜別実施形態＞
上記の実施形態においては、導電性シート７１の両端部７１ａ，７１ｂは、筐体１ａの板金筐体１ｂとＡＤＦ２の内部板金２１とに固定されている。ただし、ＡＤＦ２を筐体１ａに適切に接地することができる態様であれば、導電性シート７１の両端７１ａ，７１ｂを固定する位置は上記の形態に限定されない。
【符号の説明】
【００４２】
１    画像形成装置
１ａ  筐体
１ｂ  板金筐体
２    ＡＤＦ
３    原稿読取部
４    画像形成部
７    帯状部材
９    支持板
９    排紙トレイ
１１    開閉カバー
１１ａ  ヒンジ
２０    電子回路基板
２１    内部板金
２２    樹脂カバー
７１    導電性シート
７１ａ  一端部
７１ｂ  他端部
７２    可撓性部材
７３    可撓性部材
Ｐ    記録紙
【図１】
0005660438.tif 000002
【図２】
0005660438.tif 000003
【図３】
0005660438.tif 000004
【図４】
0005660438.tif 000005
【図５】
0005660438.tif 000006